(57)【特許請求の範囲】
【請求項１】
光源を保持し、係る光源からの照光対象の方向に開の形状をなす電気絶縁性の熱可塑性樹脂からなるリフレクタであって射出成型された半溶解状態のリフレクタの背面に、前記光源に電力を供給する高圧側配線と低圧側配線とのうちの少なくとも１つの導電パターンであって導電性材料を含有した熱硬化性樹脂を射出成型してなる導電パターンを塗布し、相互の熱交換によって硬化成型されて得られたことを特徴とするリフレクタ。
【請求項２】
ＰＥＴ樹脂又はポリカーボネート樹脂からなることを特徴とする請求項１に記載のリフレクタ。
【請求項３】
前記導電パターンは変成共重合ポリエステルに銀とカーボンとを混合した導電フィラーからなることを特徴とする請求項２に記載のリフレクタ。
【請求項４】
光源を保持し、係る光源からの照光対象の方向に開の形状をなす電気絶縁性の熱可塑性樹脂からなるリフレクタであって射出成型された半溶解状態のリフレクタの背面に、前記光源に電力を供給する高圧側配線と低圧側配線とのうちの少なくとも１つの導電パターンであって導電性材料を含有した熱硬化性樹脂を射出成型してなる導電パターンを塗布し、相互の熱交換によって硬化成型することを特徴とするリフレクタの製造方法。
【請求項５】
前記リフレクタはＰＥＴ樹脂又はポリカーボネート樹脂からなることを特徴とする請求項４に記載のリフレクタの製造方法。
【請求項６】
前記導電パターンは変成共重合ポリエステルに銀（Ａｇ）とカーボン（Ｃ）とを混合した導電フィラーからなることを特徴とする請求項５に記載のリフレクタの製造方法。
【請求項７】
前記導電パターンを前記光源の長手方向に最短距離で形成することを特徴とする請求項４〜請求項６の何れか一に記載のリフレクタの製造方法。
【請求項８】
端面部から導入された光を外部へ放出する照光面を有する平板状の導光板と、係る導光板の照光面に対向するように設置され、回路基板を備え、係る回路基板から供給される電気信号によって光の透過を制御する液晶パネルと、前記導光板の端面部に設置された光源と係る光源を囲むように設置されたリフレクタと、前記光源に電力を供給する高圧側配線及び低圧側配線からなる液晶表示装置において、
前記リフレクタは、電気絶縁性の熱可塑性樹脂からなり、前記リフレクタであって射出成型された半溶解状態のリフレクタの背面に、前記高圧側配線と前記低圧側配線とのうちの少なくとも１つの導電パターンであって導電性材料を含有した熱硬化性樹脂を射出成型してなる導電パターンを塗布し、相互の熱交換によって前記リフレクタを硬化成型することを特徴とする液晶表示装置。
【請求項９】
前記リフレクタはＰＥＴ樹脂又はポリカーボネート樹脂からなることを特徴とする請求項８に記載の液晶表示装置。
【発明の詳細な説明】
【０００１】
【発明の属する分野】
本発明は、液晶表示装置等の光源に用いられるリフレクタに関するものである。
【０００２】
【従来の技術】
従来より、光源装置は、光源と係る光源を覆うように保持し、光源から発せられる光を効率的に照射対象に照射するために照射対象と反対側に反射構造等を備えたリフレクタと光源に電力を供給する配線とから構成されていた。
図３（ａ）はサイドライト構造の液晶表示装置に用いられる光源装置の従来の構造を示す図である。
図３（ａ）に示すように、サイドライト構造の液晶表示装置は、情報を表示する略板形状の液晶表示パネル５と係る液晶表示パネル５に対向して設置され、端面に光源装置１を備えた導光板４と、前記液晶表示パネル５を駆動する回路基板６とが筐体（図示せず）に収納されてなる。
前記光源装置１は、導光板４を介して液晶表示パネル５の背面を照射する略円筒形状の光源１０と、係る光源１０を覆うように設置されたリフレクタ２と、前記光源１０に電力を供給する配線３とからなる。
すなわち、リフレクタ２は導光板４の端面と共に光源１０を保持し、導光板４への光路を確保するように光源１０を覆っている。
次に、図３（ｂ）を参照してサイドライト構造の液晶表示装置に用いられる光源装置の従来の構造について説明する。
図３（ｂ）に示すように、従来の光源装置１に用いられるリフレクタ２は、両端部に電極が設けられた略円筒形状の光源１の一部を覆うようにコの字形状の断面を有してなる。
光源１０への電源の供給は主に電源装置（図示せず）に接続された高圧側配線及び低圧側配線が前記光源１０の両端部に設けられた電極に接続されてなされるが、光源装置１の省スペース化を図るため、光源１０の一方の配線の引き回しがなされていた。
具体的には、光源１０の一方の端部に設けられた電極１０ａに高圧側配線３ａを接続すると共に、光源１０の他方の端部に設けられた電極１０ｂにはリフレクタ２の背面に設置された丸形ケーブル３２等を接続し、光源装置１の片側に前記高圧側配線３ａ及び丸形ケーブル３２をまとめる構造がなされていた。
図３（ｂ）のＢ−Ｂ断面図を図３（ｃ）に示す。
図３（ｃ）に示すように、コの字形状のリフレクタ２の背面２ａには直径約０．５ｍｍ〜１．０ｍｍの丸型ケーブル３２が設置されている。
しかしながら、直径約０．５ｍｍ〜１．０ｍｍの丸形ケーブル３２がリフレクタ２の背面２ａに設置されることによって、丸形ケーブル３２を養生するためのスペースが必要になる。
これに対し、図４（ａ）に示すようなＦＦＣ（Ｆｌｅｘｉｂｌｅ  Ｆｌａｔ  Ｃａｂｌｅ）や配線シートがリフレクタ２の背面に設置されることにより、光源１０の電源供給配線を養生するスペースの確保が容易になった。
図４（ｂ）に示すように、リフレクタ２の背面２ａには厚さが約０．２ｍｍのＦＦＣや配線シートが両面テープや接着層を介して設置され、係る配線シートの一方の端部と光源の一方の電極とが接続されていた。
また、前記ＦＦＣ又は配線シートの他方の端部と、光源１０の他方の電極に接続された配線とが、電源供給部（図示せず）に接続されて、光源１０に電源が供給されていた。
しかしながら、前記ＦＦＣや配線シートをリフレクタ２の背面２ａに設けるこの構造では、前述したように、両面テープや接着層が必要となるため、これらの厚さがリフレクタ２の背面２ａ部分に生じ、液晶表示装置の額縁を広く取ることを余儀なくされていた。
すなわち、近年、液晶表示装置の小型化及び表示パネルの大型化を共に実現するために額縁の縮小化が望まれているのにも関わらず、額縁の面積が大とならざるを得なかった。
【０００３】
このような問題を解決するリフレクタの構造として、特開平１０−２０６８４７号公報によれば、背面に導電パターンを蒸着してなるリフレクタが開示されている。
図５は、特開平１０−２０６８４７号公報に示されるように配線パターンをリフレクタに蒸着させたリフレクタ及びそれを用いた液晶表示装置の従来の構成である。
図５に示すように、液晶表示パネル５と回路基板６とに対向するように設置された導光板４の一方の端面と光源１０とを覆うように設置された光源装置１のリフレクタ２の外面に導電パターン３１が形成されている。
この導電パターン３１は、前述した従来の光源装置と同様に光源１０の低圧側電極（図示せず）を引き回すためにリフレクタ２の外面に形成されているだけでなく、液晶表示装置の額縁面積を縮小するために蒸着形成がなされている。
ここで、蒸着による導電パターン３１の厚さは約０．０００５ｍｍ〜０．００１ｍｍ程度である。
【０００４】
【発明が解決しようとする課題】
しかしながら、従来のリフレクタ及びそれを用いた液晶表示装置においては次のような問題があった。
まず、特開平１０−２０６８４７号公報に開示されたリフレクタは、その背面に形成された導電パターンが蒸着によって形成されているために、緻密な、弾力性のない、かつ非常に薄い金属膜しか形成できないので、リフレクタが熱や外的な応力等によって多少歪んだ場合に導電パターン自体に断線若しくは剥離、クラックが生じやすい点である。
すなわち、ケーブル（導体）の厚さは額縁に要するスペースを縮小する程度に薄く、かつ前記応力等によっても断線若しくは剥離、クラックが生じない厚さと弾力性とが求められていた。
また、特開平１０−２０６８４７号公報に開示されたリフレクタの背面に形成された導電パターンは、蒸着によって形成されているために、過大な時間とコストを要し、歩留まりが低下していた。
【０００５】
本発明は、以上の従来技術における問題に鑑みてなされたものであり、低コストで外的な応力に対してもケーブルの断線等が生じにくい高密着性のリフレクタ及びそれを用いた液晶表示装置並びに歩留まりを向上させるリフレクタの製造方法を提供することを目的とする。
【０００６】
【課題を解決するための手段】
本発明に関連するリフレクタは、光源を保持し、係る光源からの照光対象の方向に開の形状をなす電気絶縁性の熱可塑性樹脂からなるリフレクタの背面に、前記光源に電力を供給する高圧側配線と低圧側配線とのうちの少なくとも１つの導電パターンであって変成共重合ポリエステルに銀（Ａｇ）とカーボン（Ｃ）とを混合した導電フィラーからなる熱硬化性樹脂である導電パターンを、スクリーン印刷法により直接塗布したことを特徴とする。
【０００７】
係る構成とすることにより、光源への電力供給用配線を断線若しくは剥離、クラックが生じない厚さと弾力性とを備えつつ、額縁スペースを縮小する導電パターンを有するリフレクタを容易に実現できる。
ここで、前記（リフレクタの）背面とは、光源の照光対象方向に開の形状をなすリフレクタにおいて光源と対向する面をリフレクタの内面とした場合の裏側の面を指す。
また、係る構成とすることにより、リフレクタと導電パターンとの密着性が高く、より可撓性に優れ、剥離や外的な応力による断線等を防ぐことができる。
【０００８】
本発明に関連するリフレクタは、ＰＥＴ（ポリエチレンテレフタレート）樹脂又はポリカーボネート樹脂からなることを特徴とする。
【０００９】
係る構成とすることにより、リフレクタの軽量化が図れるだけでなく、導電パターンはリフレクタと同様に樹脂からなるため、リーク電流を減少させることができると共に、密着性及び可撓性に優れ、剥離や外的な応力による断線等を防ぐことができる。
【００１０】
本発明に関連するリフレクタは、光源を保持し、係る光源からの照光対象の方向に開の形状をなす電気絶縁性の熱可塑性樹脂からなるリフレクタの背面上の長手方向に溝部を設け、ディスペンサのノズルから導電フィラーを押し出しながら前記溝部に塗布し、前記溝部以外の部分の導電フィラーをスキージで掻き取る方法で埋設させ、前記光源に電力を供給する高圧側配線と低圧側配線とのうちの少なくとも１つの導電パターンを形成することを特徴とする。
【００１１】
係る構成とすることによって、リフレクタの背面における突出部分をなくすことができ、周囲の部材等に短絡する恐れがなくなる。
さらに、マスクを使用する必要がなく、スクリーン印刷よりも簡単に導電パターンを形成できるため、製造工程が簡易となり、結果として歩留まりが向上する。
また、係る方法を採用することにより、より背面の突出面積が縮小され、周囲との面接触の恐れが少ないリフレクタを製造することができる。
【００１２】
本発明に関連するリフレクタは、前記導電パターンは、前記光源の高圧側電極と低圧側電極とを結ぶ方向に最短距離で形成されたことを特徴とする。
【００１３】
係る構成とすることにより、効率よく電流を流すことができる導電パターンとすることができる。
【００１４】
前記課題を解決するために提供する本願第１の発明に係るリフレクタは、光源を保持し、係る光源からの照光対象の方向に開の形状をなす電気絶縁性の熱可塑性樹脂からなるリフレクタであって射出成型された半溶解状態のリフレクタの背面に、前記光源に電力を供給する高圧側配線と低圧側配線とのうちの少なくとも１つの導電パターンであって導電性材料を含有した熱硬化性樹脂を射出成型してなる導電パターンを塗布し、相互の熱交換によって硬化成型されて得られたことを特徴とする。
【００１５】
係る構成とすることにより、相互の熱交換を利用して、樹脂よりなる導電パターン一体型のリフレクタを製造することができ、導電パターンの断線や剥離を十分に防止できる構造とすることができる。
【００１６】
前記課題を解決するために提供する本願第２の発明に係るリフレクタは、請求項１に記載のリフレクタにおいて、ＰＥＴ樹脂又はポリカーボネート樹脂からなることを特徴とする。
【００１７】
係る構成とすることにより、リフレクタの軽量化が図れるだけでなく、導電パターンはリフレクタと同様に樹脂からなるため、リーク電流を減少させることができると共に、密着性及び可撓性に優れ、剥離や外的な応力による断線等を防ぐことができる。
【００１８】
前記課題を解決するために提供する本願第３の発明に係るリフレクタは、請求項２に記載のリフレクタにおいて、前記導電パターンは変成共重合ポリエステルに銀とカーボンとを混合した導電フィラーからなることを特徴とする。
【００１９】
係る構成とすることにより、リフレクタと導電パターンとの密着性が高く、より可撓性に優れ、剥離や外的な応力による断線等を防ぐことができる。
【００２０】
本発明に関連するリフレクタの製造方法は、光源を保持し、係る光源からの照光対象の方向に開の形状をなす電気絶縁性の熱可塑性樹脂からなるリフレクタの背面に、前記光源に電力を供給する高圧側配線と低圧側配線とのうちの少なくとも１つの導電パターンであって変成共重合ポリエステルに銀（Ａｇ）とカーボン（Ｃ）とを混合した導電フィラーからなる熱硬化性樹脂である導電パターンを、スクリーン印刷法により直接塗布することを特徴とする。
【００２１】
係る方法を採用することにより、容易に、かつ断線や剥離を未然に防ぐことができるリフレクタを提供することができる。
また、係る方法を採用することにより、リフレクタと導電パターンとの密着性が高く、より可撓性に優れ、剥離や外的な応力による断線等を防ぐリフレクタを製造することができる。
【００２２】
本発明に関連するリフレクタの製造方法は、前記リフレクタはＰＥＴ樹脂又はポリカーボネート樹脂からなることを特徴とする。
【００２３】
係る方法を採用することにより、リフレクタの軽量化が図れるだけでなく、導電パターンはリフレクタと同様に樹脂からなるため、リーク電流を減少させることができると共に、密着性及び可撓性に優れ、剥離や外的な応力による断線等を防ぐリフレクタを製造することができる。
【００２４】
本発明に関連するリフレクタの製造方法は、光源を保持し、係る光源からの照光対象の方向に開の形状をなす電気絶縁性の熱可塑性樹脂からなるリフレクタの背面上の長手方向に溝部を設け、ディスペンサのノズルから導電フィラーを押し出しながら前記溝部に塗布し、前記溝部以外の部分の導電フィラーをスキージで掻き取る方法で埋設させ、前記光源に電力を供給する高圧側配線と低圧側配線とのうちの少なくとも１つの導電パターンを形成することを特徴とする。
【００２５】
係る構成とすることによって、リフレクタの背面における突出部分をなくすことができ、周囲の部材等に短絡する恐れがなくなる。
さらに、マスクを使用する必要がなく、スクリーン印刷よりも簡単に導電パターンを形成できるため、製造工程が簡易となり、結果として歩留まりが向上する。
また、係る方法を採用することにより、より背面の突出面積が縮小され、周囲との面接触の恐れが少ないリフレクタを製造することができる。
【００２６】
本発明に関連するリフレクタの製造方法は、前記導電パターンを前記光源の高圧側電極と低圧側電極とを結ぶ方向に最短距離で形成することを特徴とする。
【００２７】
係る方法を採用することにより、効率よく電流を流すことができる導電パターンを備えたリフレクタを製造することができる。
【００２８】
前記課題を解決するために提供する本願第４の発明に係るリフレクタの製造方法は、光源を保持し、係る光源からの照光対象の方向に開の形状をなす電気絶縁性の熱可塑性樹脂からなるリフレクタであって射出成型された半溶解状態のリフレクタの背面に、前記光源に電力を供給する高圧側配線と低圧側配線とのうちの少なくとも１つの導電パターンであって導電性材料を含有した熱硬化性樹脂を射出成型してなる導電パターンを塗布し、相互の熱交換によって硬化成型することを特徴とする。
【００２９】
係る方法を採用することにより、簡易に樹脂よりなる導電パターン一体型で、かつ導電パターンの断線や剥離を十分に防止できるリフレクタを製造することができる。
【００３０】
前記課題を解決するために提供する本願第５の発明に係るリフレクタの製造方法は、請求項４に記載のリフレクタの製造方法において、前記リフレクタはＰＥＴ樹脂又はポリカーボネート樹脂からなることを特徴とする。
【００３１】
係る方法を採用することにより、リフレクタの軽量化が図れるだけでなく、導電パターンはリフレクタと同様に樹脂からなるため、リーク電流を減少させることができると共に、密着性及び可撓性に優れ、剥離や外的な応力による断線等を防ぐリフレクタを製造することができる。
【００３２】
前記課題を解決するために提供する本願第６の発明に係るリフレクタの製造方法は、請求項５に記載のリフレクタの製造方法において、前記導電パターンは変成共重合ポリエステルに銀（Ａｇ）とカーボン（Ｃ）とを混合した導電フィラーからなることを特徴とする。
【００３３】
係る方法を採用することにより、リフレクタと導電パターンとの密着性が高く、より可撓性に優れ、剥離や外的な応力による断線等を防ぐリフレクタを製造することができる。
【００３４】
前記課題を解決するために提供する本願第７の発明に係るリフレクタの製造方法は、請求項４〜請求項６の何れか一に記載のリフレクタの製造方法において、前記導電パターンを前記光源の長手方向に最短距離で形成することを特徴とする。
【００３５】
係る方法を採用することにより、効率よく電流を流すことができる導電パターンを備えたリフレクタを製造することができる。
【００３６】
本発明に関連する液晶表示装置は、端面部から導入された光を外部へ放出する照光面を有する平板状の導光板と、係る導光板の照光面に対向するように設置され、回路基板を備え、係る回路基板から供給される電気信号によって光の透過を制御する液晶パネルと、前記導光板の端面部に設置された光源と係る光源を囲むように設置されたリフレクタと、前記光源に電力を供給する高圧側配線及び低圧側配線からなる液晶表示装置において、前記リフレクタは、電気絶縁性の熱可塑性樹脂からなり、前記リフレクタの背面に、前記高圧側配線と前記低圧側配線とのうちの少なくとも１つの導電パターンであって変成共重合ポリエステルに銀（Ａｇ）とカーボン（Ｃ）とを混合した導電フィラーからなる熱硬化性樹脂である導電パターンを、スクリーン印刷法により直接塗布したことを特徴とする。
【００３７】
係る構成とすることにより、容易に剥離や断線等による不具合を解消することができる液晶表示装置を提供することができる。
また、液晶表示装置の額縁面積を縮小するために蒸着による導電パターン形成を選択する場合のように、製品となる個々のリフレクタを大がかりな蒸着装置に導入し、パターン形成するといった煩わしさを要することがない。
すなわち、このような組立工数を減少することができるため、製造コストを低下させることができる。
係る構成とすることにより、リフレクタと導電パターンとの密着性が高く、より可撓性に優れ、剥離や外的な応力による断線等を防ぐことができる。
【００３８】
本発明に関連する液晶表示装置は、端面部から導入された光を外部へ放出する照光面を有する平板状の導光板と、係る導光板の照光面に対向するように設置され、回路基板を備え、係る回路基板から供給される電気信号によって光の透過を制御する液晶パネルと、前記導光板の端面部に設置された光源と係る光源を囲むように設置されたリフレクタと、前記光源に電力を供給する高圧側配線及び低圧側配線からなる液晶表示装置において、前記リフレクタは、電気絶縁性の熱可塑性樹脂からなり、前記リフレクタの背面上の長手方向に溝部を設け、ディスペンサのノズルから導電フィラーを押し出しながら前記溝部に塗布し、前記溝部以外の部分の導電フィラーをスキージで掻き取る方法で埋設させ、前記高圧側配線と前記低圧側配線とのうちの少なくとも１つの導電パターンを形成することを特徴とする。
係る構成とすることによって、リフレクタの背面における突出部分をなくすことができ、周囲の部材等に短絡する恐れがなくなる。
さらに、マスクを使用する必要がなく、スクリーン印刷よりも簡単に導電パターンを形成できるため、製造工程が簡易となり、結果として歩留まりが向上する。
また、係る方法を採用することにより、より背面の突出面積が縮小され、周囲との面接触の恐れが少ないリフレクタを製造することができる。
【００３９】
前記課題を解決するために提供する本願第８の発明に係る液晶表示装置は、端面部から導入された光を外部へ放出する照光面を有する平板状の導光板と、係る導光板の照光面に対向するように設置され、回路基板を備え、係る回路基板から供給される電気信号によって光の透過を制御する液晶パネルと、前記導光板の端面部に設置された光源と係る光源を囲むように設置されたリフレクタと、前記光源に電力を供給する高圧側配線及び低圧側配線からなる液晶表示装置において、前記リフレクタは、電気絶縁性の熱可塑性樹脂からなり、前記リフレクタであって射出成型された半溶解状態のリフレクタの背面に、前記高圧側配線と前記低圧側配線とのうちの少なくとも１つの導電パターンであって導電性材料を含有した熱硬化性樹脂を射出成型してなる導電パターンを塗布し、相互の熱交換によって前記リフレクタを硬化成型することを特徴とする。
係る構成とすることにより、相互の熱交換を利用して、樹脂よりなる導電パターン一体型のリフレクタを製造することができ、導電パターンの断線や剥離を十分に防止できる構造とすることができる。
【００４０】
前記課題を解決するために提供する本願第９の発明に係る液晶表示装置は、請求項８に記載の液晶表示装置において、前記リフレクタはＰＥＴ樹脂又はポリカーボネート樹脂からなることを特徴とする。
【００４１】
係る構成とすることにより、リフレクタの軽量化が図れるだけでなく、導電パターンはリフレクタと同様に樹脂からなるため、リーク電流を減少させることができると共に、密着性及び可撓性に優れ、剥離や外的な応力による断線等を防ぐことができる。
【００４６】
【発明の実施の形態】
以下に、本発明に係るリフレクタ及びそれを用いた液晶表示装置の一実施の形態における構成について図面を参照して説明する。
図１（ａ）及び図１（ｂ）は、本発明に係るリフレクタの一実施の形態における構成を示す斜視図及び断面図である。
図１（ａ）に示すように、リフレクタ２は、両端部に外部電極（高圧側）１１及び外部電極（低圧側）１２が設けられた略円筒形状の光源１を収納するようにコの字形状の断面を有してなる。
ここで、リフレクタの材料は、ＰＥＴ（ポリエチレンテレフタレート）樹脂又はポリカーボネート樹脂が望ましい。
なお、光源１０を保持する保持部材については説明の都合上ここでは省略する。
光源１０への電源の供給は主に電源装置（図示せず）に接続された高圧側配線３ａ及び低圧側配線３ｂが前記光源１０の外部電極（高圧側）１１及び外部電極（低圧側）１２の各々に接続されてなされる。
ここで、光源装置１の省スペース化を図るため、光源１０の外部電極（低圧側）１２と前記低圧側配線３ｂとはリフレクタ２の背面２ａに形成された導電パターン３１が中継して接続される。
この導電パターン３１は、変成共重合ポリエステルに銀（Ａｇ）とカーボン（Ｃ）とを混合させた導電フィラーからなる熱硬化性樹脂であり、熱可塑性樹脂であるリフレクタ２の背面に直接スクリーン印刷法等により塗布されている。
この導電パターンは、密着性及び可撓性に優れ、特にＰＥＴ樹脂との密着性が良く、リフレクタが外力によってゆがんでも、剥離や亀裂、断線を生じない。従って、信頼性が高くなる。
また、この導電パターン３１は、光源１０の両端部に対応して位置するリフレクタ２の背面２ａの両端部を結ぶ方向（以下、長手方向とする）を最短距離で結ぶように形成されることが望ましく、さらには、その導電パターン３１が並行するように複数設けられてもよい。
このように、導電パターン３１が複数設けられることによって、剥離や亀裂、断線に対する信頼性をより向上できる。
【００４７】
図１（ｂ）は図１（ａ）において光源１０をリフレクタ２内に収納した場合のＡ−Ａ断面図である。
図１（ｂ）に示すように、リフレクタ２の背面２ａに塗布された導電パターン３１は、厚さが約０．０３ｍｍ程度で形成されている。
すなわちこれは、蒸着形成された場合の導電パターンの厚さ（約０．０００５ｍｍ〜０．００１ｍｍ程度）よりも外的な応力に耐え得るだけの厚さであると共に、丸形ケーブルや薄い配線シート等の厚さ（約０．３ｍｍ〜１．０ｍｍ程度）よりも省スペースの光源装置を提供することができる。
【００４８】
また、本発明に係るリフレクタの他の実施の形態として、図１（ｃ）に示すように、リフレクタ２の背面２ａ上の長手方向に溝部を設け、係る溝部にディスペンサのノズルから導電フィラーを押し出しながら塗布し、溝以外の部分の導電フィラーをスキージで掻き取る方法で埋設させることができる。
係る構成とすることによって、リフレクタ２の背面２ａにおける突出部分をなくすことができ、周囲の部材等に短絡する恐れがなくなる。
さらに、マスクを使用する必要がなく、スクリーン印刷よりも簡単に導電パターンを形成できるため、製造工程が簡易となり、結果として歩留まりが向上する。
【００４９】
次に、本発明に係るリフレクタの一実施の形態における製造方法について図面を参照して以下に説明する。
図２（ａ）は、本発明に係るリフレクタの一実施の形態における製造方法を示す図である。
図２（ａ）に示すように、本発明に係るリフレクタの一実施の形態における製造方法は、押し出し成型機を用いて以下のように行われる。
まず、ホッパにより供給された材料は、押し出し成型機内に設置されたヒータにより加熱されると共に、スクリューにより金型に送り込まれる。
金型を通過した押し出し材は、金型ノズルの形状によってその断面形状が形成され、本発明の場合は、リフレクタの断面形状、すなわちコの字形状に形成される。
ここで、押し出し材を冷却槽に通過させ、リフレクタとしての形状に硬化させる。
その後、リフレクタの背面となる面にディスペンサによる導電パターン材の塗布を行い、引き取り機をガイドとして送り出した後、材料定尺自動カッターにより所定の長さに分割され、導電パターンの熱硬化処理を行って製品となる。
このような製造方法により、導電パターンを有するリフレクタを一工程で製造できるため、量産が容易となる。
【００５０】
また、本発明の他の実施の形態として、図２（ｂ）に示すように、前記導電パターン材の塗布方法を押し出し成型機の金型ノズルから押し出された押し出し材と導電パターン材との熱交換を利用して、より確実な塗布方法とすることも可能である。
すなわち、押し出し材をリフレクタとしての形状に硬化させるために設けられた冷却槽を通過させる前にリフレクタの背面となる面にディスペンサによる導電パターンの塗布を行う。
すなわち、熱可塑性樹脂である押し出し材がリフレクタとしての形状に硬化する前に熱硬化性樹脂よりなる導電パターン材の塗布を行う。
これにより、金型ノズルから押し出されたばかりの押し出し材と導電パターン材との間で熱交換が行われ、押し出し材と導電パターン材とが容易かつ確実に一体化する。
その後、引き取り機をガイドとして送り出され、材料定尺自動カッターにより所定の長さに分割され、導電パターンの熱硬化処理を行って製品となる。
【００５１】
このようにして製造されたリフレクタは従来のように、サイドライト構造の液晶表示装置に適用される。
詳しくは、情報を表示する略板形状の液晶表示パネルと係る液晶表示パネルに対向して設置され、端面に光源装置を備えた導光板と、前記液晶表示パネルを駆動する回路基板とが筐体に収納されてなる。
【００５２】
このようにしてリフレクタを製造することによって、従来のリフレクタの製造方法、特に導電パターンを背面に蒸着形成する方法のように、切断された個々のリフレクタのそれぞれに対してパターンを蒸着形成する煩わしさもコスト高も解消される。
さらに、本発明に係るリフレクタは液晶表示装置に用いられる光源としてのリフレクタに限らず、安価に生産されるべき一般の照明装置に用いられるリフレクタとしても適用され得ることは明らかである。
【００５３】
【発明の効果】
以上説明したように、本発明に係るリフレクタ及びそれを用いた液晶表示装置によれば、蒸着やメッキ等によって形成された導電パターンよりも容易にある程度の厚みを確保した導電パターンを形成することができ、抵抗を増大させるクラックや断線の恐れがなくなる。
また、リフレクタの背面への導電パターンの塗布方法をスクリーン印刷によって行うことにより、リフレクタの背面上に大きな突出部がないため、周囲との電気的な接触の恐れが少ない。
さらに、リフレクタの背面に溝を形成し、その溝にディスペンサにより導電パターンを塗布することにより、マスクを使用する必要がなく、製造工程が簡易となり、結果として歩留まりが向上する。
【００５４】
【図面の簡単な説明】
【図１】本発明に係るリフレクタの一実施の形態における構成を示す斜視図及び断面図である。
【図２】本発明に係るリフレクタの製造方法の一実施の形態における構成を示す斜視図である。
【図３】丸形ケーブルを用いた従来のリフレクタの構成を示す斜視図及び断面図である。
【図４】ＦＦＣを用いた従来におけるリフレクタの構成を示す斜視図及び断面図である。
【図５】蒸着工程によって形成された導電パターンを備えた従来のリフレクタの構成を示す断面図である。
【符号の説明】
１．光源装置
２．リフレクタ
３．配線
４．導光板
５．液晶表示パネル
６．回路基板
１０．光源
１１．外部電極（高圧側）
１２．外部電極（低圧側）
３１．導電パターン
３２．丸形ケーブル
３３．ＦＦＣ
【図１】
0003555863.tif 000002
【図２】
0003555863.tif 000003
【図３】
0003555863.tif 000004
【図４】
0003555863.tif 000005
【図５】
0003555863.tif 000006